(57)【要約】【課題】ディミング表示時に低輝度の階調を良好な表示品位で表示することができ、フリッカの発生を防止することができる有機ＥＬディスプレイ装置の駆動装置を提供する。【解決手段】  通常表示時には、第１行走査電極から順番に各走査電極を選択する。ディミング表示を行う時には、有機ＥＬ素子に流す定電流値を低下させる。そして、奇数行目の走査電極を順次選択し、奇数行目の各走査電極の選択が終了したならば、偶数行目の走査電極を順次選択する。この動作を繰り返す。すなわち、ディミング表示時にはインターレース駆動を行う。ディミング表示時の選択期間は、通常表示時の選択期間よりも長くする。また、その選択期間の上限は、１つのグループを走査する期間を１６．７ｍｓｅｃとすることによって定めた場合の選択期間の長さとする。【選択図】図５
2007219434.tif 000002
【特許請求の範囲】
【請求項１】
複数の走査電極と複数の信号電極との間に有機薄膜が配置された有機ＥＬディスプレイ装置の駆動装置であって、
走査電極を選択する走査電極ドライバと、
信号電極から有機薄膜に定電流を流す信号電極ドライバと、
走査電極ドライバおよび信号電極ドライバを制御する制御部とを備え、
制御部は、
第１の表示態様または第１の表示態様よりも低い輝度で画像を表示する第２の表示態様を走査電極ドライバおよび信号電極ドライバに指示し、
第２の表示態様を指示しているときの走査電極の選択期間が、第１の表示態様を指示しているときの走査電極の選択期間よりも長くなるように走査電極ドライバを制御し、
走査電極ドライバは、
第１の表示態様が指示されているときに、各走査電極を順番に選択し、
第２の表示態様が指示されているときに、予め定められた走査電極の各グループ毎に順番に、グループに属する各走査電極を順番に選択する
ことを特徴とする有機ＥＬディスプレイ装置の駆動装置。
【請求項２】
走査電極ドライバは、
第２の表示態様が指示されているときに、奇数行目の走査電極のグループに属する各走査電極を順番に選択することと、偶数行目の走査電極のグループに属する各走査電極を順番に選択することとを繰り返す
請求項１に記載の有機ＥＬディスプレイ装置の駆動装置。
【請求項３】
信号電極ドライバは、
第１の表示態様が指示されているときに、第１の定電流を流し、
第２の表示態様が指示されているときに、第１の定電流よりも電流値が低い第２の定電流を流し、
走査電極ドライバは、
第１の表示態様が指示されているときに、選択した走査電極を選択時電位に設定し、選択していない走査電極を第１の非選択時電位に設定し、
第２の表示態様が指示されているときに、選択した走査電極を選択時電位に設定し、選択していない走査電極を第１の非選択時電位よりも低い第２の非選択時電位に設定する
請求項１または請求項２に記載の有機ＥＬディスプレイ装置の駆動装置。
【請求項４】
走査電極ドライバと、信号電極ドライバと、制御部とを含むＩＣを備えた
請求項１、２または３のうちのいずれか１項に記載の有機ＥＬディスプレイ装置の駆動装置。
【発明の詳細な説明】
【技術分野】
【０００１】
本発明は、有機ＥＬ(Electroluminescence )ディスプレイ装置の駆動装置に関する。
【背景技術】
【０００２】
有機ＥＬ素子は、陽極と陰極との間に有機薄膜を有する。陰極が陽極よりも高電位となるように両電極間に電圧を印加しても、有機薄膜にはほとんど電流が流れず、有機薄膜は発光しない。逆に、陽極が陰極よりも高電位となるように両極間に所定電圧（発光開始電圧）以上の電圧を印加すると、有機薄膜に電流が流れ、有機薄膜は発光する。この発光を利用した有機ＥＬディスプレイ装置が知られている。
【０００３】
有機ＥＬディスプレイ装置では、例えば、複数の走査電極と複数の信号電極とが、有機薄膜を挟んで直交するように配置される。このような有機ＥＬディスプレイ装置では、各走査電極と各信号電極との交差部分が画素として発光する。また、画素はマトリクス状に配置されることになる。この場合、線順次駆動によって、有機ＥＬディスプレイ装置を駆動する。すなわち、各走査電極を順次選択し、選択行の表示データに応じて信号電極から選択された走査電極に電流を流す。
【０００４】
線順次駆動による有機ＥＬディスプレイ装置の駆動方法として、例えば、特許文献１，２に記載された駆動方法が知られている。特許文献１に記載された駆動方法では、選択行を切り替える際に、全ての走査電極および全ての信号電極を予め定めたリセット電位に設定し、その後、次の行を選択する。図１２は、特許文献１に記載された駆動方法における駆動波形の例を示している。図１２（ａ）に示す実線は第Ｌ行の走査電極の駆動波形であり、図１２（ｂ）に示す実線はその次の行（第Ｌ＋１行）の走査電極の駆動波形である。また、図１２に示す破線は、１本の信号電極の駆動波形である。図１２に示すように、各行は、選択されているときに電位ＶＳＳに設定され、他の行が選択されている期間中には電位ＶＣＨに設定される。ただし、ＶＳＳ＜ＶＣＨの関係が成り立っている。また、発光させるべき画素の信号電極から選択行の走査電極に定電流が流れるように駆動され、その結果、その信号電極の電位は、ＶＳＳより高い電位となる。そして、選択期間終了時から次の選択期間開始時までの間では、各走査電極および各信号電極の電位はリセット電位（図１２に示す例ではＶＳＳ）に設定される。なお、リセット電位は、逆バイアスの電圧印加によって画素に蓄積された電荷を放電させるための電位である。このように駆動することにより、逆バイアスの電圧印加によって画素に蓄積された電荷は放電し、選択期間開始時から画素が発光するまでの立ち上がり時間が短縮化される。逆バイアスとは、信号電極の電位と走査電極の電位との高低関係が、画素を発光させるときとは逆になっていることである。
【０００５】
特許文献２に記載された駆動方法では、選択期間終了時から次の選択期間開始時までの間、各信号電極の電位はリセット電位に設定される。また、この間、それまで選択されていた走査電極の電位はＶＣＨに設定され、他の各走査電極はリセット電位ＶＳＳに設定される。このように駆動することによって、画素が発光するまでの立ち上がり時間を短縮化するとともに有機ＥＬ素子の寿命を長くできる。さらに、特許文献２には、選択期間終了時から次の選択期間開始時までの間、次に選択する走査電極の電位をＶＣＨに設定し、他の各走査電極の電位をリセット電位ＶＳＳにする駆動方法も記載されている。また、選択期間終了時から次の選択期間開始時までの間、それまで選択されていた走査電極および次に選択する走査電極の電位をＶＣＨに設定し、他の各走査電極の電位をリセット電位ＶＳＳに設定する駆動方法も記載されている。
【０００６】
また、有機ＥＬディスプレイ装置において中間調表示を行う場合がある。中間調表示方法として、パルス幅変調方式（ＰＷＭ：Pulse Width Modulation）が知られている。ＰＷＭでは、選択期間における画素の発光時間の割合（信号電極から選択行の走査電極に定電流を流す時間の割合）を変化させることで、階調を変化させる。
【０００７】
車載用ナビゲーションシステムの表示装置等では、周囲が明るいときに高輝度で画像を表示し、周囲が暗いときには低輝度で画像を表示するように切り替える。このような切り替えにおいて、高輝度での表示を通常表示と記すことにする。また、低輝度での表示をディミング表示と記すことにする。なお、通常表示の場合も、ディミング表示の場合も、それぞれＰＷＭによって中間調表示を行うことができる。
【０００８】
ディミング表示に切り替える場合、有機ＥＬ素子に流す定電流値を下げればよい。有機ＥＬ素子に流す定電流値を低下させることで、有機ＥＬ素子の発光輝度が低下してディミング表示が実現される。このような、ディミング表示の実現方法は、例えば、特許文献３や特許文献４に記載されている。
【０００９】
また、ＰＷＭによって通常表示からディミング表示に切り替えることができる。この場合、有機ＥＬ素子に定電流を流す時間を短縮することによってディミング表示に切り替えればよい（例えば、特許文献３参照。）。なお、ＰＷＭによって通常表示からディミング表示に切り替える切替方法は、中間調表示の階調数が少ない場合に採用されることが多い。
【００１０】
また、特許文献３には、選択期間内で画素を最大階調で表示するために有機ＥＬ素子に電流を流す時間がディミング表示時には通常表示時よりも短くなるように駆動する駆動装置が記載されている。
【００１１】
また、特許文献４には、ディミング表示に切り替える場合、有機ＥＬ素子に流す定電流値を下げるとともに、非選択行の設定電位を通常表示時よりも低下させる駆動装置が記載されている。
【００１２】
特許文献１〜４に記載された駆動装置は、いずれも走査電極を順番に選択する。
【００１３】
【特許文献１】特開平９−２３２０７４号公報（第２−７頁、第１−１５図）
【特許文献２】特開２００３−２９５８２３号公報（第４−９頁、図１−１０）
【特許文献３】特開２００５−２０８２５９号公報（段落００１２，００１３，００２５−００６５）
【特許文献４】特開２００５−１８１９６７号公報（段落００１０，００２１−０１３０）
【発明の開示】
【発明が解決しようとする課題】
【００１４】
図１３は、特許文献１に記載された駆動方法において、有機ＥＬ素子に流す定電流値を下げてディミング表示に切り替えた場合の駆動波形の例を示す。図１３（ａ），（ｂ）に示す実線は、図１２（ａ），（ｂ）に示す実線と同様に、それぞれ第Ｌ行、第Ｌ＋１行の走査電極の駆動波形を示している。また、図１３に示す破線は、図１２に示す破線と同様に、１本の信号電極の駆動波形を示している。ディミング表示時（図１３）における信号電極の電位は、通常表示時（図１２）における信号電極の電位よりも低くなる。
【００１５】
ディミング表示に切り替えた結果、信号電極の電位が低くなると、信号電極電位と選択されていない走査電極の電位ＶＣＨとの電位差が大きくなってしまう。この場合、選択期間開始時における信号電極の電位が、本来設定されるべき電位よりも高くなってしまい、その後、本来の電位まで下がっていくという現象が生じる（図１３参照。）。この理由について説明する。選択期間の開始直前には、各走査電極および各信号電極はいずれもリセット電位（本例ではＶＳＳ）に設定されている。このとき、１本の信号電極と各走査電極との電位差は０Ｖである。この後、選択期間が開始されると、選択行以外の各走査電極の電位はＶＣＨに設定され、信号電極はＶＣＨよりも低い電位に設定される。しかし、１本の信号電極は、各走査電極とともにキャパシタを形成している状態にあり、選択期間の開始直前における電位差が０Ｖであったため、信号電極電位は、設定された定電流値で取る電位にならず、ＶＣＨに近づくような値になってしまう。従って、信号電極の電位は、選択期間開始時には本来設定されるべき電位より高くなってしまい、その後本来の電位に下がるという現象が生じてしまう。この現象は、選択期間における信号電極の電位と電位ＶＣＨとの差が大きいほど、顕著に現れる。
【００１６】
このように選択期間中に信号電極の電位が変化すると、ＰＷＭによって中間調表示を行う際、良好な階調リニアリティが得られなくなってしまう。すなわち、各階調輝度の変化の仕方が一定にならず、良好な表示品位を保てなくなってしまう。特に、低輝度の階調を表示しようとしても、選択期間開始時に信号電極の電位が一旦上昇してしまうため、所望の輝度より高い輝度になってしまう。
【００１７】
このような問題は、ＰＷＭによって通常表示からディミング表示に切り替える場合、すなわち、有機ＥＬ素子に定電流を流す時間を短縮することによってディミング表示に切り替える場合にも生じる。
【００１８】
また、ディスプレイ装置に生じるちらつきや、走査電極のスキャン（走査）の様子が画面に現れてしまうことをフリッカと呼ぶ。フリッカを生じないように有機ＥＬディスプレイ装置を駆動することが好ましい。
【００１９】
そこで、本発明は、ディミング表示時に低輝度の階調を良好な表示品位で表示することができ、また、フリッカの発生を防止することができる有機ＥＬディスプレイ装置の駆動装置を提供することを目的とする。
【課題を解決するための手段】
【００２０】
本発明の態様１は、複数の走査電極と複数の信号電極との間に有機薄膜が配置された有機ＥＬディスプレイ装置の駆動装置であって、走査電極を選択する走査電極ドライバと、信号電極から有機薄膜に定電流を流す信号電極ドライバと、走査電極ドライバおよび信号電極ドライバを制御する制御部とを備え、制御部が、第１の表示態様または第１の表示態様よりも低い輝度で画像を表示する第２の表示態様を走査電極ドライバおよび信号電極ドライバに指示し、第２の表示態様を指示しているときの走査電極の選択期間が、第１の表示態様を指示しているときの走査電極の選択期間よりも長くなるように走査電極ドライバを制御し、走査電極ドライバが、第１の表示態様が指示されているときに、各走査電極を順番に選択し、第２の表示態様が指示されているときに、予め定められた走査電極の各グループ毎に順番に、グループに属する各走査電極を順番に選択することを特徴とする有機ＥＬディスプレイ装置の駆動装置を提供する。
【００２１】
本発明の態様２は、態様１において、走査電極ドライバが、第２の表示態様が指示されているときに、奇数行目の走査電極のグループに属する各走査電極を順番に選択することと、偶数行目の走査電極のグループに属する各走査電極を順番に選択することとを繰り返す有機ＥＬディスプレイ装置の駆動装置を提供する。
【００２２】
本発明の態様３は、態様１，２のいずれかにおいて、信号電極ドライバが、第１の表示態様が指示されているときに、第１の定電流を流し、第２の表示態様が指示されているときに、第１の定電流よりも電流値が低い第２の定電流を流し、走査電極ドライバが、第１の表示態様が指示されているときに、選択した走査電極を選択時電位に設定し、選択していない走査電極を第１の非選択時電位に設定し、第２の表示態様が指示されているときに、選択した走査電極を選択時電位に設定し、選択していない走査電極を第１の非選択時電位よりも低い第２の非選択時電位に設定する有機ＥＬディスプレイ装置の駆動装置を提供する。
【００２３】
本発明の態様４は、態様１，２，３のうちのいずれかにおいて、走査電極ドライバと、信号電極ドライバと、制御部とを含むＩＣを備えた有機ＥＬディスプレイ装置の駆動装置を提供する。
【発明の効果】
【００２４】
本発明によれば、第２の表示態様（ディミング表示）のときに低輝度の階調を良好な表示品位で表示することができ、また、フリッカの発生を防止することができる。
【発明を実施するための最良の形態】
【００２５】
以下、本発明の実施の形態を図面を参照して説明する。なお、以下の説明において、電位および電圧の単位は、特に単位を記さない限り、Ｖ（ボルト）であるものとする。
【００２６】
［実施の形態１］図１は、本発明の第１の実施の形態の有機ＥＬディスプレイ装置の駆動装置の例を示すブロック図である。なお、以下の説明では、有機ＥＬ素子に流す定電流値を低下させることでディミング表示を実現する場合を例にして説明する。
【００２７】
有機ＥＬディスプレイ装置（以下、表示パネルと記す。）１は、複数の走査電極（図示略。）と複数の信号電極（図示略。）とを備える。各走査電極と各信号電極とは、有機薄膜を挟んで直交するように配置される。各走査電極と各信号電極との交差部分がそれぞれ画素となる。各画素において、信号電極側から走査電極側に電流が流れることにより、その画素の有機薄膜が発光する。この表示パネル１は、駆動装置（コントローラ２等を含む駆動装置）に従って、通常表示（第１の表示態様）とディミング表示（第２の表示態様）の双方を行う。また、通常表示時とディミング表示時それぞれにおいて、ＰＷＭによる中間調表示を行う。
【００２８】
以下の説明において、通常表示時に発光画素に流れる定電流を第１の定電流と記す。また、ディミング表示時において発光画素に流れる定電流を第２の定電流と記す。
【００２９】
また、以下の説明において、選択時電位は、選択期間中に選択した走査電極に対して設定する電位である。非選択時電位は、ある走査電極の選択期間中、選択されていない各走査電極に対して設定する電位である。
【００３０】
駆動装置は、駆動ＩＣ１０と、電源回路５とを備え、駆動ＩＣ１０は、コントローラ（制御部）２と、走査電極ドライバ部（走査電極ドライバ）３と、信号電極ドライバ部（信号電極ドライバ）４とを含んでいる。また、コントローラ２は、表示される画像のデータを記憶するメモリ２ａを含んでいる。コントローラ２は、走査電極ドライバ部３と、信号電極ドライバ部４とを制御することにより、表示パネル１に画像を表示させる。
【００３１】
また、駆動ＩＣ１０に含まれるコントローラ２には、外部ＭＰＵ（Micro Processing Unit）６が接続される。外部ＭＰＵ６は、コントローラ２に対して、コントローラ２内部のレジスタ設定（レジスタの記憶内容）を指示する信号や、メモリ２ａに記憶させる表示データを送信する。外部ＭＰＵ６がコントローラ２に送信する信号には、通常表示あるいはディミング表示を指示する信号が含まれる。また、外部ＭＰＵ６は、コントローラ２に表示データを送信して、コントローラ２内部のメモリ２ａに記憶される表示データを書き換える。図１では、外部ＭＰＵ６からコントローラ２に送信する信号およびデータをまとめてＩ／Ｆ信号と表記して示している。
【００３２】
表示データは、個々の画素に対応させて、最高輝度から最低輝度までの各階調のうちのいずれかを示すデータを含んでいる。このように、表示データは、中間調を示す画素のデータを含んでいる。なお、通常表示とディミング表示とを切り替える場合であっても、表示内容を変化させないのであれば、外部ＭＰＵ６は表示データを変化させない。ただし、この場合、表示内容は変化しないが、表示される画像の輝度は変化する。
【００３３】
コントローラ２は、通常表示を行うのかディミング表示を行うのかを示す情報を記憶するレジスタを備え、そのレジスタに記憶されている情報に応じて、通常表示を行うのか、ディミング表示を行うのかを決定し、後述する切替制御信号を出力する。また、コントローラ２は、このレジスタの記憶内容を、外部ＭＰＵ６からの指示（信号）によって変更する。
【００３４】
また、走査電極は、予めグループ分けされている。走査電極をｐ個のグループに分ける場合には、個々の走査電極の行の順番を示す値がｐ×ｎ−（ｐ−１）、ｐ×ｎ−（ｐ−２）、・・・、ｐ×ｎのいずれに合致するのかに応じて、走査電極の行の順番を示す値がｐ×ｎ−（ｐ−１）のグループ、ｐ×ｎ−（ｐ−２）のグループ、・・・、ｐ×ｎのグループに分ければよい。ここで、ｎは１以上の整数である。例えば、走査電極を２個のグループに分けるとする。この場合、ｐ＝２である。すると、各走査電極は、走査電極の行の順番を示す値が２×ｎ−１のグループ（すなわち、奇数行目の走査電極のグループ）と、走査電極の行の順番を示す値が２×ｎのグループ（すなわち、偶数行目の走査電極のグループ）とに分けられる。ここでは、ｐ＝２の場合を示したが、ｐは３以上であってもよい。以下、説明を簡単にするため、上述のように走査電極を奇数行目の走査電極のグループと、偶数行目の走査電極のグループとに分ける場合を例にして説明する。
【００３５】
コントローラ２は、通常表示時には、各走査電極を１行目から順番に選択していくように走査電極ドライバ部３を制御する。また、コントローラ２は、ディミング表示時には、１つのグループに属する各走査電極を１本ずつ選択し、そのグループに属する各走査電極の選択が全て終わった後、他のグループに属する各走査電極を１本ずつ選択していくことを繰り返すように、走査電極ドライバ部３を制御する。そして、全てのグループの走査電極を選択した後、再度、最初のグループの走査電極から同様に選択していくように走査電極ドライバ部３を制御する。すなわち、各グループ毎に順番に、グループに属する各走査電極を順番に選択するように走査電極ドライバ部３を制御する。本例では、コントローラ２は、奇数行目の走査電極を１本ずつ選択し、奇数行目の各走査電極の選択が全て終わった後、偶数行目の走査電極を１本ずつ選択するように走査電極ドライバ部３を制御する。そして、偶数行目の各走査電極の選択が終了した後、再度、奇数行目の走査電極を１本ずつ選択することを繰り返すように、走査電極ドライバ部３を制御する。このように、本例では（ｐ＝２の場合では）、ディミング表示時にインターレース駆動を行う。
【００３６】
また、コントローラ２は、ディミング表示時における走査電極の選択期間が通常表示時における走査電極の選択期間よりも長くなるように制御する。
【００３７】
ＰＷＭにより中間調表示を行う場合、最大輝度の表示を行うために電流を流す時間を等分に分割し、有機ＥＬ素子を発光させる場合には、輝度に応じて、その等分に分割した時間の一部または全部で有機ＥＬ素子に電流を流す。なお、最大輝度の表示を行うために電流を流す時間は、例えば、選択期間であるが、選択期間より短い期間であることもある。ディミング表示時における選択期間を通常表示時よりも長くすることで、この分割された個々の時間の長さも長くなる。その結果、図１３に示すような選択期間開始時における信号電極の電位上昇の影響が少なくなる。すなわち、階調リニアリティが向上し、低輝度の階調も低い輝度で良好に発光させることができるようになる。特に、コントローラ２は、ディミング表示時における走査電極の選択期間が通常表示時における走査電極の選択期間の１．５倍以上になるように制御することが好ましい。
【００３８】
ディミング表示時における選択期間を通常表示時よりも長くすることで、階調リニアリティが向上し、低輝度の階調も低い輝度で良好に表示できるようになる。しかし、選択期間が長すぎると、フリッカが発生する。そのため、ディミング表示時における選択期間の上限は、１つのグループを走査する期間を１６．７ｍｓｅｃとすることによって定めた場合の選択期間とする。
【００３９】
走査電極ドライバ部３は、コントローラ２に従って、個々の走査電極を１本ずつ選択し、選択行および非選択行の走査電極の電位をそれぞれ設定する。そして、各走査電極を選択しながら走査電極を走査していく。各走査電極の電位を設定するための電圧は、電源回路５から供給される。走査電極ドライバ部３は、選択行の走査電極を選択時電位（ＶＳＳとする。）に設定する。また、ある走査電極の選択期間中、他の各走査電極の電位を非選択時電位（ＶＣＨとする。）に設定する。
【００４０】
信号電極ドライバ部４は、コントローラ２および選択行の表示データに従って、選択期間中、発光させるべき画素が存在する信号電極から選択行走査電極に定電流を流す。すなわち、信号電極ドライバ部４は、発光させるべき画素が存在する信号電極から選択されている走査電極上の有機薄膜に定電流を流す。ただし、信号電極ドライバ部４は、コントローラ２に従って定電流値を切り替える。コントローラ２が通常表示を指示している場合、信号電極ドライバ部４は第１の定電流を流す。また、コントローラ２がディミング表示を指示している場合、信号電極ドライバ部４は第２の定電流を流す。第２の定電流量は、第１の定電流量よりも少ない。
【００４１】
また、信号電極ドライバ部４は、表示データに基づいて画素に定電流を流す時間を調整することにより中間調表示を行う。信号電極ドライバ部４は、有機ＥＬ素子を発光させる場合には、輝度に応じて、等分に分割された時間（最大輝度の表示を行うために電流を流す時間が等分に分割された時間）の一部または全部において有機ＥＬ素子に電流を流す。有機ＥＬ素子を発光させない場合（すなわち最低階調の場合）、信号電極ドライバ部４は、選択期間中、有機ＥＬ素子に定電流を流さなければよい。
【００４２】
電源回路５は、走査電極ドライバ部３に電圧ＶＳＳと電圧ＶＣＨとを供給する。また、信号電極ドライバ部４に、電圧ＶＳＳと、信号電極ドライバ用電源電圧ＶＳＨとを供給する。なお、電圧ＶＳＨは、信号電極ドライバ部４が備える定電流回路を駆動するための電圧である。従って、各信号電極の電位はＶＳＨとして設定されるわけではない。
【００４３】
図２は、コントローラ２が信号電極ドライバ部４に出力する制御信号を示す説明図である。コントローラ２は、１行分の表示データの中から各列のデータを順次取得するタイミングを規定するＣＰ（データ転送用クロックパルス）と、選択する走査電極の切り換えを示すＬＰ（ラッチパルス）とを信号電極ドライバ部４に出力する。また、コントローラ２は、信号電極ドライバ部４に１行分の表示データ（Ｄａｔａ）を取り込ませる。ＬＰの立ち下がり（ローレベルになるタイミング）からＬＰの立ち上がり（ハイレベルになるタイミング）までが選択期間となる。ただし、既に説明したように、ディミング表示時と通常表示時とでは選択期間の長さは異なり、ディミング表示時の方が選択期間は長くなる。コントローラ２は、次の選択期間に選択される走査電極の行を指定して、メモリにその行の表示データをデータ出力領域にコピーさせる。また、コントローラ２は、選択期間中、信号電極の数と同数のパルス信号としてＣＰを信号電極ドライバ部４に出力する。信号電極ドライバ部４は、ＣＰの立ち下がりタイミング毎に、データ出力領域にコピーされた１行分の表示データ（Ｄａｔａ）から各画素のデータを１つずつ取得する。この表示データは、次の選択期間に選択される走査電極の行の表示データである。
【００４４】
ただし、「次の選択期間に選択される走査電極」は、通常表示時とディミング表示時とで異なる。通常表示時における「次の選択期間に選択される走査電極」は、現在選択している走査電極の次の走査電極である。ディミング表示時における「次の選択期間に選択される走査電極」は、原則として、現在選択している走査電極と同じグループに属する次の走査電極である。例えば、現在選択している走査電極が奇数行の走査電極であれば、その次の奇数行の走査電極が「次の選択期間に選択される走査電極」に該当する。ただし、現在選択している走査電極が奇数行の走査電極のうち最後の走査電極であれば、偶数行の走査電極のうちの最初の走査電極（すなわち、第２行走査電極）が「次の選択期間に選択される走査電極」に該当する。現在選択している走査電極が偶数行の走査電極の場合も同様である。
【００４５】
信号電極ドライバ部４は、選択期間が終了すると、その選択期間内に取得した１行分の表示データに基づいて、次の選択期間中に発光させるべき画素が存在する信号電極を判定するとともに、どの階調で表示するのかを判定する。また、信号電極ドライバ部４は、ＬＰがハイレベルになっている間（すなわち、選択期間終了時から次の選択期間の開始までの間）、各信号電極の電位をリセット電位ＶＳＳに設定する。
【００４６】
信号電極ドライバ部４は、次の選択期間が開始されると、発光させるべき画素が存在する信号電極に定電流を流す。また、各信号電極において、階調に応じた時間が経過したときに、定電流を停止する。そして、信号電極ドライバ部４は、定電流を流していた信号電極の電位をＶＳＳに設定する。
【００４７】
また、図１に示すように、コントローラ２は信号電極ドライバ部４に切替制御信号（通常表示かディミング表示かを指示する制御信号）も出力する。コントローラ２は、切替制御信号を出力して、信号電極ドライバ部４が流す定電流の切り替えを制御する。信号電極ドライバ部４は、切替制御信号によって通常表示を指示されている場合、定電流として第１の定電流を流す。一方、切替制御信号によってディミング表示を指示されている場合、定電流として第２の定電流を流す。
【００４８】
図３は、コントローラ２が走査電極ドライバ部３に出力する制御信号を示す説明図である。コントローラ２は、ＬＰと、ＦＬＭ（ファーストラインマーカ）とを走査電極ドライバ部３に出力する。また、コントローラ２は、ＬＰおよびＦＬＭの他に、切替制御信号（通常表示かディミング表示かを指示する制御信号）と、グループ指示信号も走査電極ドライバ部３に出力する。グループ指示信号は、走査対象とする走査電極のグループを指示する制御信号である。本例では、奇数行の走査電極を走査するのか、あるいは偶数行の走査電極を走査するのかを指示する。通常表示時に出力されるＦＬＭは、第１行から各走査電極を順次選択していくことを指示する制御信号である。また、ディミング表示時に出力されるＦＬＭは、１つのグループ（グループ指示信号から定まるグループ）に属する各走査電極を、そのグループにおける最初の走査電極から順次選択していくことを指示する制御信号である。本例では、ディミング表示時に出力されるＦＬＭは、第１行走査電極から順次奇数行の走査電極を選択していくこと、あるいは、第２行走査電極から順次偶数行の走査電極を選択していくことを指示する。走査電極ドライバ部３は、ＦＬＭがハイレベルになると、通常表示時にはＬＰに応じて第１行から各走査電極を順次選択していく。また、ディミング表示時には、ＬＰに応じて、グループ指示信号によって定まるグループの最初の走査電極から、そのグループの各走査電極を順次選択していく。走査電極ドライバ部３は、ＬＰがハイレベルになっている間（すなわち、選択期間終了時から次の選択期間の開始までの間）、各走査電極の電位をリセット電位ＶＳＳに設定する。
【００４９】
既に説明したように、ＬＰの立ち下がり（ローレベルになるタイミング）からＬＰの立ち上がり（ハイレベルになるタイミング）までが選択期間である。従って、コントローラ２は、ディミング表示時には、ＬＰの立ち下がりからＬＰの立ち上がりまでの期間を、通常表示よりも長くすればよい。特に、ディミング表示時には、ＬＰの立ち下がりからＬＰの立ち上がりまでの期間が、通常表示時の１．５倍以上であることが好ましい。さらに、ＬＰの立ち下がりからＬＰの立ち上がりまでの期間の上限は、１つのグループを走査する期間を１６．７ｍｓｅｃとすることによって決まる選択期間の長さとすることが好ましい。
【００５０】
コントローラ２は、例えば、通常表示時であってもディミング表示時であっても、同一の周期でＦＬＭを出力してもよい。この場合、通常表示時には、ＦＬＭがハイレベルになってから、次にＦＬＭがハイレベルになるまでの間に、全走査電極が走査される。一方、ディミング表示時には、ｐ＝２の場合、ＦＬＭがハイレベルになってから、次にＦＬＭがハイレベルになるまでの間に、奇数行目の走査電極（あるいは偶数行目の走査電極）のみが走査される。従って、同一の周期でＦＬＭを出力する（同一の周期でＦＬＭをハイレベルにする）場合、ディミング表示時における選択期間は、通常表示時における選択期間のほぼ２倍になる。
【００５１】
図４、図５および図６は、本実施の形態における駆動波形の例を示す説明図である。図４は、通常表示時における駆動波形の例を示している。図５は、ディミング表示時において奇数行の走査電極のグループを走査する場合の駆動波形の例を示している。図６は、ディミング表示時において偶数行の走査電極のグループを走査する場合の駆動波形の例を示している。以下の説明では、切替制御信号が、通常表示を指示するときにはローレベルの信号として出力され、ディミング表示を指示するときにはハイレベルの信号として出力される場合を例にして説明する。また、グループ指示信号が、奇数行の走査電極のグループを指示するときにはハイレベルの信号として出力され、偶数行の走査電極のグループを指示するときにはローレベルの信号として出力される場合を例にして説明する。
【００５２】
まず、図４を参照して、通常表示時におけるコントローラ２、走査電極ドライバ部３および信号電極ドライバ部４の動作について説明する。コントローラ２は、切替制御信号として通常表示を指示する信号（本例ではローレベル）を出力する。
【００５３】
走査電極ドライバ部３は、切替制御信号がローレベルになっている場合には、コントローラ２から入力されるグループ指示信号のレベルによらず、第１行の走査電極から各走査電極を順次走査する。
【００５４】
コントローラ２は、第１行から各走査電極を順次走査することを指示する場合、ＦＬＭをローレベルからハイレベルにする。そして、ＦＬＭがハイレベルになっている間にＬＰをハイレベルに立ち上げ、続いてＬＰをローレベルに戻す。ＦＬＭがハイレベルになっているときにＬＰがローレベルからハイレベルに変化すると、走査電極ドライバ部３は、そのタイミングで最終行の選択期間を終了する。また、ＦＬＭがハイレベルになっているときにＬＰがハイレベルからローレベルに変化すると、走査電極ドライバ部３は、そのタイミングから第１行の選択期間を開始する。コントローラ２は、第１行の選択期間中にＦＬＭをハイレベルからローレベルにする。
【００５５】
走査電極ドライバ部３は、ＦＬＭがハイレベルになっている間にＬＰがハイレベルからローレベルに変化すると、そのタイミングで、第１行走査電極の電位を選択時電位ＶＳＳに設定し、他の各走査電極の電位を非選択時電位ＶＣＨに設定する。また、信号電極ドライバ部４は、直前の選択期間において取得した表示データに基づいて、発光させるべき画素が存在する信号電極から第１行走査電極に定電流を流す。このとき、通常表示が指示されているので、信号電極ドライバ部４は第１の定電流を流す。このときの信号電極の電位をＶｓ１とする。また、他の各信号電極の電位をＶＳＳに設定することにより、他の各信号電極から第１行走査電極に電流が流れないようにする。この結果、第１の定電流が流された信号電極と第１行走査電極との交差部分の有機薄膜が発光する。なお、発光開始電圧をＶｐとした場合、Ｖｓ１−Ｖｐ＜ＶＣＨを満足するように、ＶＣＨを定めておく。このように非選択時電位ＶＣＨを定めておくことで、信号電極から非選択行の走査電極に電流が流れることを防止できる。
【００５６】
第１行の選択期間の間、信号電極ドライバ部４は、次に選択される第２行の表示データをメモリ２ａから取得する。
【００５７】
コントローラ２がＬＰをハイレベルに立ち上げると、第１行の選択期間が終了する。ＬＰがハイレベルになっている間、走査電極ドライバ部３および信号電極ドライバ部４は、それぞれ各走査電極、各信号電極の電位をリセット電位ＶＳＳに設定する。
【００５８】
コントローラ２がＬＰをハイレベルからローレベルに変化させると、走査電極ドライバ部３は、そのタイミングで、第２行走査電極の電位を選択時電位ＶＳＳに設定し、他の各走査電極の電位を非選択時電位ＶＣＨに設定する。また、信号電極ドライバ部４は、直前の選択期間において取得した表示データに基づいて、発光させるべき画素が存在する信号電極から第２行走査電極に定電流を流す。このとき、通常表示が指示されているので、信号電極ドライバ部４は第１の定電流を流す。以降、コントローラ２、走査電極ドライバ部３および信号電極ドライバ部４は、同様の動作を繰り返す。
【００５９】
なお、図４に示す例において、各信号電極に定電流が流される時間は、選択期間よりも短くなっている。このことは、中間調表示を行っていることを意味している。
【００６０】
次に、図５および図６を参照して、ディミング表示時におけるコントローラ２、走査電極ドライバ部３および信号電極ドライバ部４の動作について説明する。コントローラ２は、切替制御信号としてディミング表示を指示する信号（本例ではハイレベル）を出力する。
【００６１】
コントローラ２は、切替制御信号をハイレベルにして出力している場合、ＦＬＭをハイレベルにして、ＬＰを立ち上げるタイミング時に、グループ指示信号のレベルを切り替える。すなわち、奇数行の走査電極のグループ指示と、偶数行の走査電極のグループ指示とを切り替える。走査電極ドライバ部３は、切替制御信号がハイレベルになっていて、グループ指示信号がハイレベルならば、奇数行の各走査電極を第１行走査電極から順に選択していく。また、切替制御信号がハイレベルになっていて、グループ指示信号がローレベルならば、偶数行の各走査電極を第２行走査電極から順に選択していく。
【００６２】
図５を参照して、ディミング表示時に奇数行の各走査電極を順に選択する動作を説明する。コントローラ２は、奇数行の各走査電極を第１行走査電極から順に選択していくことを指示する場合、ＦＬＭをローレベルからハイレベルにする。ＦＬＭがハイレベルになっている間にＬＰをハイレベルに立ち上げ、続いてＬＰをローレベルに戻す。ここで、ＬＰをハイレベルに立ち上げるときに、コントローラ２は、グループ指示信号をローレベル（本例では偶数行のグループ指示）から、ハイレベル（本例では奇数行のグループ指示）に切り替える。
【００６３】
ＦＬＭがハイレベルになっているときにＬＰがローレベルからハイレベルに変化すると、走査電極ドライバ部３は、そのタイミングで、偶数行の走査電極のグループの最後の走査電極の選択期間を終了する。また、ＦＬＭがハイレベルになっているときにＬＰがハイレベルからローレベルに変化すると、このときのグループ指示信号はハイレベルであるので、走査電極ドライバ部３は、奇数行の走査電極のグループの最初の走査電極（すなわち第１行走査電極）の選択期間を開始する。コントローラ２は、この選択期間中にＦＬＭをハイレベルからローレベルにする。
【００６４】
走査電極ドライバ部３は、ＦＬＭがハイレベルになっている間にＬＰがハイレベルからローレベルに変化すると、そのタイミングで、第１行走査電極の電位を選択時電位ＶＳＳに設定し、他の各走査電極の電位を非選択時電位ＶＣＨに設定する。また、信号電極ドライバ部４は、直前の選択期間において取得した表示データに基づいて、発光させるべき画素が存在する信号電極から第１行走査電極に定電流を流す。このとき、ディミング表示が指示されているので、信号電極ドライバ部４は第２の定電流を流す。このときの信号電極の電位をＶｓ２とする。また、他の各信号電極の電位をＶＳＳに設定することにより、他の各信号電極から第１行走査電極に電流が流れないようにする。この結果、第２の定電流が流された信号電極と第１行走査電極との交差部分の有機薄膜が発光する。第２の定電流値は第１の定電流値より低いので、通常表示時よりも有機薄膜の発光輝度は低くなり、ディミング表示が実現される。
【００６５】
第１行の選択期間の間、信号電極ドライバ部４は、次に選択される奇数行（ここでは第３行）の表示データをメモリ２ａから取得する。
【００６６】
コントローラ２がＬＰをハイレベルに立ち上げると、第１行の選択期間が終了する。既に説明したように、コントローラ２は、ディミング表示時における選択期間を、通常表示時における選択期間よりも長くする。特に、通常表示時における選択期間の１．５倍以上にすることが好ましい。ただし、コントローラ２は、ディミング表示時における選択期間が、１つのグループを走査する期間を１６．７ｍｓｅｃとすることによって定めた場合の選択期間の長さ以下になるようにする。図４、図５および図６では、コントローラ２が同一周期でＦＬＭを出力して（同一周期でＦＬＭをハイレベルにして）、ディミング表示時における選択期間が通常表示時における選択期間のほぼ２倍になるようにしている場合を例に示している。
【００６７】
ＬＰがハイレベルになっている間、走査電極ドライバ部３および信号電極ドライバ部４は、それぞれ各走査電極、各信号電極の電位をリセット電位ＶＳＳに設定する。
【００６８】
コントローラ２がＬＰをハイレベルからローレベルに変化させると、走査電極ドライバ部３は、そのタイミングで、次の奇数行の走査電極（ここでは第３行走査電極）の電位を選択時電位ＶＳＳに設定し、他の各走査電極の電位を非選択時電位ＶＣＨに設定する。また、信号電極ドライバ部４は、直前の選択期間において取得した表示データに基づいて、発光させるべき画素が存在する信号電極から第３行走査電極に定電流を流す。このとき、ディミング表示が指示されているので、信号電極ドライバ部４は第２の定電流を流す。以降、コントローラ２、走査電極ドライバ部３および信号電極ドライバ部４は、奇数行の走査電極のグループの最後の走査電極の選択期間終了まで同様の動作を繰り返す。その後、コントローラ２は、以下に図６を参照して説明するように、走査電極ドライバ部３が偶数行の各走査電極を第２行走査電極から順に選択していくように制御する。
【００６９】
図６を参照して、ディミング表示時に偶数行の各走査電極を順に選択する動作を説明する。コントローラ２は、偶数行の各走査電極を第２行走査電極から順に選択していくことを指示する場合、ＦＬＭをローレベルからハイレベルにする。ＦＬＭがハイレベルになっている間にＬＰをハイレベルに立ち上げ、続いてＬＰをローレベルに戻す。ここで、ＬＰをハイレベルに立ち上げるときに、コントローラ２は、グループ指示信号をハイレベル（本例では奇数行のグループ指示）からローレベル（本例では偶数行のグループ指示）に切り替える。
【００７０】
ＦＬＭがハイレベルになっているときにＬＰがローレベルからハイレベルに変化すると、走査電極ドライバ部３は、そのタイミングで、奇数行の走査電極のグループの最後の走査電極の選択期間を終了する。また、ＦＬＭがハイレベルになっているときにＬＰがハイレベルからローレベルに変化すると、このときのグループ指示信号はローレベルであるので、走査電極ドライバ部３は、偶数行の走査電極のグループの最初の走査電極（すなわち第２行走査電極）の選択期間を開始する。コントローラ２は、この選択期間中にＦＬＭをハイレベルからローレベルにする。
【００７１】
走査電極ドライバ部３は、ＦＬＭがハイレベルになっている間にＬＰがハイレベルからローレベルに変化すると、そのタイミングで、第２行走査電極の電位を選択時電位ＶＳＳに設定し、他の各走査電極の電位を非選択時電位ＶＣＨに設定する。また、信号電極ドライバ部４は、直前の選択期間において取得した表示データに基づいて、発光させるべき画素が存在する信号電極から第２行走査電極に定電流を流す。このとき、ディミング表示が指示されているので、信号電極ドライバ部４は第２の定電流を流す。このときの信号電極の電位はＶｓ２である。また、他の各信号電極の電位をＶＳＳに設定することにより、他の各信号電極から第２行走査電極に電流が流れないようにする。この結果、第２の定電流が流された信号電極と第２行走査電極との交差部分の有機薄膜が発光する。
【００７２】
第２行の選択期間の間、信号電極ドライバ部４は、次に選択される偶数行（ここでは第４行）の表示データをメモリ２ａから取得する。
【００７３】
コントローラ２がＬＰをハイレベルに立ち上げると、第２行の選択期間が終了する。この選択期間は、通常表示時における選択期間よりも長い。
【００７４】
ＬＰがハイレベルになっている間、走査電極ドライバ部３および信号電極ドライバ部４は、それぞれ各走査電極、各信号電極の電位をリセット電位ＶＳＳに設定する。
【００７５】
コントローラ２がＬＰをハイレベルからローレベルに変化させると、走査電極ドライバ部３は、そのタイミングで、次の偶数行の走査電極（ここでは第４行走査電極）の電位を選択時電位ＶＳＳに設定し、他の各走査電極の電位を非選択時電位ＶＣＨに設定する。また、信号電極ドライバ部４は、直前の選択期間において取得した表示データに基づいて、発光させるべき画素が存在する信号電極から第４行走査電極に定電流を流す。このとき、ディミング表示が指示されているので、信号電極ドライバ部４は第２の定電流を流す。以降、コントローラ２、走査電極ドライバ部３および信号電極ドライバ部４は、偶数行の走査電極のグループの最後の走査電極の選択期間終了まで同様の動作を繰り返す。その後、コントローラ２は、図５を参照して説明したように、走査電極ドライバ部３が奇数行の各走査電極を第１行走査電極から順に選択していくように制御する。
【００７６】
このようにして、本例では、コントローラ２は、ディミング表示時にインターレース駆動を行う。
【００７７】
なお、図５および図６に示す例において、各信号電極に定電流が流される時間は、選択期間よりも短くなっている。このことは、中間調表示を行っていることを意味している。また、図５および図６に示す例において、各信号電極に定電流が流される時間は、通常表示時よりも長くなっている。これは、選択期間が長くなったことにより、最大輝度の表示を行うために電流を流す時間が等分に分割された時間も長くなったためである。この等分に分割された時間が長くなったため、選択期間開始時における信号電極の電位上昇の影響が少なくなり、低輝度の階調も低い輝度で良好に発光させることができるようになる。
【００７８】
また、ディミング表示時においても走査電極の選択期間の上限は、１つのグループを走査する期間を１６．７ｍｓｅｃとすることによって定めた場合の選択期間の長さである。従って、フリッカの発生を防止できる。
【００７９】
図７は、ディミング表示時における偶数行選択時および奇数行選択時の信号電極電位の変化を示す模式図である。図７において、実線は走査電極の駆動波形を示し、破線は信号電極の駆動波形を示している。本発明では、例えば、図７に模式的に示すように、奇数行目のグループおよび偶数行目のグループのようにグループに分類して、グループ毎に走査電極を選択していく。すなわち、ディミング表示時には隣接する走査電極を連続して選択しないようにして、選択される走査電極が空間的に分散されるようにしている。選択期間が長くなると、走査電極の走査の様子が見えてしまうことがある（すなわち、フリッカが生じることがある）。しかし、上述のように走査電極をグループに分類して、グループ毎に走査電極を選択することで、選択期間が長くなってもフリッカの発生を防止することができる。
【００８０】
また、駆動ＩＣ１０が、コントローラ２と、走査電極ドライバ部３と、信号電極ドライバ部４とを含む構成であるので、外部ＭＰＵ６は、駆動ＩＣに対して、通常表示あるいはディミング表示を指示する信号を送信すれば、通常表示とディミング表示との切り替えを行うことができる。
【００８１】
なお、駆動ＩＣ１０がコントローラ２と、走査電極ドライバ部３と、信号電極ドライバ部４とを含む構成とするのではなく、コントローラ２、走査電極ドライバ部３、および信号電極ドライバ部４を、それぞれ別個の回路として備えていてもよい。
【００８２】
なお、走査電極全体の本数が奇数の場合、奇数行目の走査電極の本数は、偶数行目の走査電極の本数よりも１多くなる。この場合、ＦＬＭをハイレベルにする周期が一定になるように、偶数行目の各走査電極を選択した後にダミー期間を設ければよい。
【００８３】
また、第１の実施の形態では、有機ＥＬ素子に流す定電流値を低下させることでディミング表示を実現する場合を例にして説明したが、有機ＥＬ素子に定電流を流す時間を短縮することによってディミング表示を実現してもよい。すなわち、ＰＷＭによって通常表示からディミング表示に切り替えてもよい。
【００８４】
［実施の形態２］図８は、本発明の第２の実施の形態の有機ＥＬディスプレイ装置の駆動装置の例を示すブロック図である。第２の実施の形態では、有機ＥＬ素子に流す定電流値を低下させることでディミング表示を行うことを前提とする。また本実施の形態では、走査電極の非選択時電位を、通常表示時とディミング表示時とで切り替える。通常表示時における非選択時電位をＶＣＨ１とし、ディミング表示時における非選択時電位をＶＣＨ２とする。ただし、ＶＣＨ２＜ＶＣＨ１である。
【００８５】
図８では、第１の実施の形態と同様の構成要素については、図１と同一の符号を付している。表示パネル１、信号電極ドライバ部４、外部ＭＰＵ６は、それぞれ第１の実施の形態における表示パネル１、信号電極ドライバ部４、外部ＭＰＵ６と同様である。
【００８６】
第２の実施の形態では、コントローラ２は、切替制御信号（通常表示かディミング表示かを指示する制御信号）を走査電極ドライバ部３および信号電極ドライバ部４だけでなく、電源回路５に対しても出力する。コントローラ２の他の動作は第１の実施の形態と同様である。
【００８７】
電源回路５は、第１の実施の形態と同様に、走査電極ドライバ部３に電圧ＶＳＳを供給し、信号電極ドライバ部４に、電圧ＶＳＳと、信号電極ドライバ用電源電圧ＶＳＨとを供給する。ただし、第２の実施の形態では、電源回路５は、走査電極ドライバ部３に対して、電圧ＶＣＨ１と電圧ＶＣＨ２との切り替えを行って電圧ＶＣＨ１または電圧ＶＣＨ２供給する。
【００８８】
電源回路５は、通常表示時（切替制御信号が通常表示を指示している場合）には、走査電極ドライバ部３に電圧ＶＣＨ１を出力する。また、ディミング表示時（切替制御信号がディミング表示を指示している場合）には、走査電極ドライバ部３に電圧ＶＣＨ２を出力する。このように、電源回路５は、出力電圧ＶＣＨ１およびＶＣＨ２の切り替えを、コントローラ２が出力する切替制御信号に従って行う。
【００８９】
図９は、電源回路５における電圧ＶＣＨ１およびＶＣＨ２の出力部の構成例を示すブロック図である。電源回路５は、電源電圧を分圧する抵抗１１〜１３と、演算増幅器（以下、オペアンプと記す。）１４，１５と、スイッチ１６とを備える。抵抗１１は、電源電圧に接続され、抵抗１３は接地される。抵抗１２は、抵抗１１と抵抗１３との間に配置される。分圧によって抵抗１１，１２間に生じた電圧ＶＣＨ１ｉｎは、ボルテージフォロワ接続されたオペアンプ１４の非反転入力端子に入力される。同様に、分圧によって抵抗１２，１３間に生じた電圧ＶＣＨ２ｉｎは、ボルテージフォロワ接続されたオペアンプ１５の非反転入力端子に入力される。オペアンプ１４，１５は、それぞれ電圧ＶＣＨ１，ＶＣＨ２を出力する。分圧で得られた電圧ＶＣＨ１ｉｎ，ＶＣＨ２ｉｎは、それぞれ電圧ＶＣＨ１，ＶＣＨ２と等しい。
【００９０】
スイッチ１６は、コントローラ２（図９において図示せず。）が出力する切替制御信号に応じて、走査電極ドライバ部３に接続される配線１７を、オペアンプ１４の出力端またはオペアンプ１５の出力端に接続させる。切替制御信号が通常表示を指示している場合、スイッチ１６は、配線１７をオペアンプ１４の出力端に接続させる。この結果、電源回路５から走査電極ドライバ部３に電圧ＶＣＨ１が出力される。一方、切替制御信号がディミング表示を指示している場合、スイッチ１６は、配線１７をオペアンプ１５の出力端に接続させる。この結果、電源回路５から走査電極ドライバ部３に電圧ＶＣＨ２が出力される。
【００９１】
このように、電源回路５は、通常表示時には非選択時電位ＶＣＨ１を出力し、ディミング表示時にはＶＣＨ１よりも低い非選択時電位ＶＣＨ２を出力する。
【００９２】
走査電極ドライバ部３は、電源回路５からの電圧出力に応じて、通常表示時には、選択されていない走査電極の電位を非選択時電位ＶＣＨ１に設定し、ディミング表示時には、選択されていない走査電極の電位を非選択時電位ＶＣＨ２に設定する。走査電極ドライバ部３の他の動作は第１の実施の形態と同様である。
【００９３】
第２の実施の形態における通常表示時の駆動波形は、第１の実施の形態における通常表示時の駆動波形（図４参照。）と同様である。なお、本実施の形態における選択時電位ＶＣＨ１は、図４に示す非選択時電位ＶＣＨに相当する。
【００９４】
図１０は、ディミング表示時において奇数行の走査電極のグループを走査する場合の駆動波形の例を示す。第１の実施の形態で示した図５と比較すると、非選択時電位が通常表示時よりも低いＶＣＨ２に設定される点で異なる。その他の点に関しては、第１の実施の形態における駆動波形（図５参照。）と同様である。
【００９５】
図１１は、ディミング表示時において偶数行の走査電極のグループを走査する場合の駆動波形の例を示す。第１の実施の形態で示した図６と比較すると、非選択時電位が通常表示時よりも低いＶＣＨ２に設定される点で異なる。その他の点に関しては、第１の実施の形態における駆動波形（図６参照。）と同様である。
【００９６】
第２の実施の形態においても、第１の実施の形態と同様の効果が得られる。第２の実施の形態では、ディミング表示時に非選択時電位を通常表示時よりも低下させるので、選択期間開始時における信号電極電位の上昇量が少なくなる。その結果、より階調リニアリティを向上させ、低輝度の階調も低い輝度でより良好に発光させることができる。
【００９７】
上述の各実施の形態では、奇数行目の走査電極のグループと偶数行目の走査電極とのグループに分けて、ディミング表示時に、各グループ毎に走査電極を選択する場合を示した。走査電極のグループ分けでは、グループ数を３以上（ｐ≧３）としてもよい。この場合、３つ以上のグループをそれぞれ指定できるように、各グループをそれぞれ識別可能なビット数の情報をグループ指示信号とすればよい。例えば、走査電極のグループ数が３つであるならば、２ビットの情報で各グループを識別できる。コントローラ２は、第１グループ、第２グループ、第３グループをそれぞれ指定する場合、例えば、２ビットの“０１”，“１０”，“１１”という情報をグループ指示信号として出力すればよい。
【００９８】
また、各グループの走査電極の数が同一でなく、ＦＬＭをハイレベルにする周期が一定になるようにするときには、走査電極数の少ないグループの各走査電極を選択した後にダミー期間を設ければよい。ダミー期間を設けることで、ＦＬＭをハイレベルにする周期を一定にすることができる。
【００９９】
また、上記の各実施の形態では、選択期間終了時から次の選択期間開始時までの間、各信号電極電位および各走査電極電位をリセット電位に設定する場合を例に説明した。特許文献２に記載されている駆動方法のように、選択期間終了時から次の選択期間開始時までの間、それまで選択していた走査電極の電位を非選択時電位に設定し、他の各走査電極の電位をリセット電位に設定してもよい。あるいは、選択期間終了時から次の選択期間開始時までの間、次に選択する走査電極の電位を非選択時電位に設定し、他の各走査電極の電位をリセット電位に設定してもよい。また、あるいは、選択期間終了時から次の選択期間開始時までの間、それまで選択していた走査電極および次に選択する走査電極の電位を非選択時電位に設定し、他の各走査電極の電位をリセット電位に設定してもよい。
【産業上の利用可能性】
【０１００】
本発明は、有機ＥＬディスプレイ装置に高輝度での画像表示および低輝度での画像表示を行わせる場合に適用可能である。例えば、周囲が明るいときに高輝度で画像を表示し、周囲が暗いときには低輝度で画像を表示する車載用ナビゲーションシステムの表示装置等の駆動装置として適用可能である。
【図面の簡単な説明】
【０１０１】
【図１】本発明の第１の実施の形態の有機ＥＬディスプレイ装置の駆動装置の例を示すブロック図。
【図２】コントローラが信号電極ドライバ部に出力する制御信号を示す説明図。
【図３】コントローラが走査電極ドライバ部に出力する制御信号を示す説明図。
【図４】通常表示時における駆動波形の例を示す説明図。
【図５】ディミング表示時において奇数行の走査電極のグループを走査する場合の駆動波形の例を示す説明図。
【図６】ディミング表示時において偶数行の走査電極のグループを走査する場合の駆動波形の例を示す説明図。
【図７】ディミング表示時における偶数行選択時および奇数行選択時の信号電極電位の変化を示す模式図。
【図８】本発明の第２の実施の形態の有機ＥＬディスプレイ装置の駆動装置の例を示すブロック図。
【図９】電源回路における電圧ＶＣＨ１およびＶＣＨ２の出力部の構成例を示すブロック図。
【図１０】ディミング表示時において奇数行の走査電極のグループを走査する場合の駆動波形の例を示す説明図。
【図１１】ディミング表示時において偶数行の走査電極のグループを走査する場合の駆動波形の例を示す説明図。
【図１２】従来の駆動方法における駆動波形の例を示す説明図。
【図１３】従来の駆動方法において、定電流値を下げてディミング表示に切り替えた場合の駆動波形の例を示す説明図。
【符号の説明】
【０１０２】
１  有機ＥＬディスプレイ装置
２  コントローラ
２ａ  メモリ
３  走査電極ドライバ部
４  信号電極ドライバ部
５  電源回路
６  外部ＭＰＵ
１０  駆動ＩＣ
【図１】
2007219434.tif 000003
【図２】
2007219434.tif 000004
【図３】
2007219434.tif 000005
【図４】
2007219434.tif 000006
【図５】
2007219434.tif 000007
【図６】
2007219434.tif 000008
【図７】
2007219434.tif 000009
【図８】
2007219434.tif 000010
【図９】
2007219434.tif 000011
【図１０】
2007219434.tif 000012
【図１１】
2007219434.tif 000013
【図１２】
2007219434.tif 000014
【図１３】
2007219434.tif 000015